(57)【要約】【課題】各鍵を積層状態で鍵並び方向に独立移動可能にして、鍵毎の位置を事後的に個別に調整可能にする。【解決手段】黒鍵ユニット１０、白鍵ユニット２０、３０の順に、それぞれの基端部１１、２１、３１で積層して鍵盤ユニットが構成される。白鍵本体２３、３３は、押離鍵方向に揺動可能で、鍵並び方向へはほとんど揺動しない。ユニット２０中の隣接する基端部２１同士は、弾性を有する弾性連結部２６で連結され、間隔が伸縮可能である。ユニット３０も同様に構成される。基端部１１と２１、基端部２１と３１とは、レール状の嵌合部Ｆ１、Ｆ２と嵌合対応部Ｍ２、Ｍ３との関係になって、鍵並び方向に摺動可能に嵌合状態になり、基端部２１、３１が基端部１１に対して事後的に相対的に鍵並び方向にスライド移動可能になっている。【選択図】    図４
2004205766.tif 000002
【特許請求の範囲】
【請求項１】
基端部と、少なくとも１つの鍵本体と、該鍵本体に対応して設けられ対応する鍵本体を押離鍵方向に揺動可能にすると共に鍵並び方向への揺動を抑制するように前記基端部に接続する接続部とをそれぞれ一体に形成して成る第１、第２鍵ユニットを有し、前記第１鍵ユニットの鍵本体と前記第２鍵ユニットの鍵本体とが重ならないように、前記第１鍵ユニットの基端部と前記第２鍵ユニットの基端部とを積層し、該積層された両基端部を鍵フレームに対して取り付けることで、鍵ユニットの組み付けを行うように構成された鍵盤構造であって、
前記第１、第２鍵ユニットの両基端部の一方に、鍵並び方向に延びる嵌合部を設けると共に、前記両基端部を積層したときに前記嵌合部に嵌合する嵌合対応部を前記両基端部の他方に設け、前記両基端部が積層され且つ前記嵌合部と前記嵌合対応部とが嵌合した状態で、前記第２鍵ユニットの基端部が前記第１鍵ユニットの基端部に対して相対的に鍵並び方向にスライド移動可能なように構成され、前記第２鍵ユニットは、前記基端部、前記鍵本体及び前記接続部の組み合わせが複数並設されて成り、各組み合わせ毎に、独立してスライド移動可能であることを特徴とする鍵盤構造。
【請求項２】
前記第２鍵ユニットの隣接する基端部同士が弾性連結部で連結されていることを特徴とする請求項１記載の鍵盤構造。
【請求項３】
前記第１、第２鍵ユニットの両基端部を積層した状態で、前記第２鍵ユニットの基端部を操作して移動させ、その位置を微調整するための移動調整手段が設けられたことを特徴とする請求項１または２記載の鍵盤構造。
【請求項４】
前記第１鍵ユニットは黒鍵ユニットであり、該黒鍵ユニットの基端部は、複数の鍵本体及び複数の接続部に対応する共通基端部として構成され、前記黒鍵ユニットの前記共通基端部と前記第２鍵ユニットの基端部とが積層され且つ前記嵌合部と前記嵌合対応部とが嵌合された後に、該積層された両基端部が前記鍵フレームに対して取り付けられることで、鍵ユニットの組み付けが行われるように構成されたことを特徴とする請求項１〜３のいずれか１項に記載の鍵盤構造。
【請求項５】
前記第２鍵ユニットは、前記積層された第１、第２鍵ユニットの両基端部を前記鍵フレームに対して仮取り付けした状態では、前記第１鍵ユニットの基端部と前記鍵フレームの双方に対して相対的に鍵並び方向にスライド移動可能なように構成されたことを特徴とする請求項１〜４のいずれか１項に記載の鍵盤構造。
【発明の詳細な説明】
【０００１】
【発明の属する技術の分野】
本発明は、基端部と鍵本体とを接続部で接続して成る鍵ユニットを複数積層して鍵フレームに取り付けるようにした鍵盤構造に関する。
【０００２】
【従来の技術】
従来、下記特許文献１、２に示されるように、基端部と鍵本体とを接続部（ヒンジ部）で接続して成る黒鍵ユニット及び白鍵ユニットをそれぞれの基端部で積層して、鍵フレームに対して取り付けるようにした鍵盤構造が知られている。
【０００３】
これらの鍵盤構造では、黒鍵ユニットには５つの黒鍵本体が、２つの白鍵ユニットには、それぞれ３つ、４つの白鍵本体が分散配置され、上から、黒鍵ユニット、上側白鍵ユニット、下側白鍵ユニットの順に共通基端部で重ね合わされる。これら３つの鍵ユニットの鍵並び方向における相対的位置関係は、３つの鍵ユニットを積層した時点で、例えば、黒鍵ユニットに設けた位置決めピンが両白鍵ユニットに設けた穴に挿通嵌合される等によって一義的に規定される。
【０００４】
また、各接続部は、対応する鍵本体の鍵並び方向への揺動を抑制するように、薄型で幅広に形成され、これにより、鍵フレーム側に押離鍵ガイド部を設ける必要がなくなっている。各鍵ユニットは樹脂で金型により一体成形され、従って、同一鍵ユニットにおける各鍵の位置は、成形後に固定的に定まる。
【０００５】
一方、下記特許文献３の鍵盤構造では、隣接する白鍵の共通基端部同士を薄肉の鍵間部分で連結し、金型での成形後に、鍵間部分を変形させて、白鍵同士の間隔を狭める方向に変化させることができるようにしている。
【０００６】
【特許文献１】
特許３０８２６９６号公報
【特許文献２】
特許３３０７２６３号公報
【特許文献３】
実公平５−４２４７４号公報
【０００７】
【発明が解決しようとする課題】
しかしながら、上記特許文献１、２の鍵盤構造では、金型による成形の際に、接続部から鍵本体が左右方向（鍵並び方向）に傾き、成形加工後に鍵先端が左右に振れた鍵ユニットが出来上がるという現象が生じることがある。この現象には、鍵ユニット自体の形状や金型成形の際の温度乃至時間管理等、多くの要因が関与していると考えられるが、温度管理を含む成形条件管理をきびしく行っても、鍵先端の振れを完全になくすことは容易でなく、振れを有する鍵ユニットは、その大小はあるが、事実上生じている。
【０００８】
そして、鍵先端が所定以上振れた不良鍵がたとえ１つであっても、その不良鍵を有する鍵ユニットを組み付けに用いると、鍵フレームに組み付け後に隣接する鍵本体間のすきまが適正値より広く、あるいは狭くなり、商品として成立せず、その場合は、当該不良鍵を有する鍵ユニットあるいは、積層した３つの鍵ユニット全部が不良品となってしまい、歩留まりが悪いという問題があった。
【０００９】
特に、白鍵は、黒鍵に比し長いため、接続部での僅かな曲がりが鍵先端部の大きな振れとして表れやすく、不良となることが黒鍵に比し多かった。
【００１０】
また、上記特許文献３の鍵盤構造では、白鍵ユニットを黒鍵ユニットに組み付ける際に、白鍵ユニットの共通取付部に設けた嵌合穴に黒鍵ユニット下部に突設したボスを嵌合することで各白鍵の鍵並び方向における位置決めがなされるので、例えば、鍵並び方向における位置を白鍵毎に調整することはできず、上記と同様の問題があった。
【００１１】
本発明は上記従来技術の問題を解決するためになされたものであり、その目的は、各鍵を積層状態で鍵並び方向に独立移動可能にして、鍵毎の位置を事後的に個別に調整することができる鍵盤構造を提供することにある。
【００１２】
【課題を解決するための手段】
上記目的を達成するために本発明の請求項１の鍵盤構造は、基端部と、少なくとも１つの鍵本体と、該鍵本体に対応して設けられ対応する鍵本体を押離鍵方向に揺動可能にすると共に鍵並び方向への揺動を抑制するように前記基端部に接続する接続部とをそれぞれ一体に形成して成る第１、第２鍵ユニットを有し、前記第１鍵ユニットの鍵本体と前記第２鍵ユニットの鍵本体とが重ならないように、前記第１鍵ユニットの基端部と前記第２鍵ユニットの基端部とを積層し、該積層された両基端部を鍵フレームに対して取り付けることで、鍵ユニットの組み付けを行うように構成された鍵盤構造であって、前記第１、第２鍵ユニットの両基端部の一方に、鍵並び方向に延びる嵌合部を設けると共に、前記両基端部を積層したときに前記嵌合部に嵌合する嵌合対応部を前記両基端部の他方に設け、前記両基端部が積層され且つ前記嵌合部と前記嵌合対応部とが嵌合した状態で、前記第２鍵ユニットの基端部が前記第１鍵ユニットの基端部に対して相対的に鍵並び方向にスライド移動可能なように構成され、前記第２鍵ユニットは、前記基端部、前記鍵本体及び前記接続部の組み合わせが複数並設されて成り、各組み合わせ毎に、独立してスライド移動可能であることを特徴とする。
【００１３】
この構成によれば、前記第１、第２鍵ユニットの両基端部を積層すると、両基端部の一方に設けた嵌合部と他方に設けた嵌合対応部とが嵌合状態となって、第２鍵ユニットの基端部が第１鍵ユニットの基端部に対して相対的に鍵並び方向にスライド移動可能になり、特に、第２鍵ユニットは、前記基端部、前記鍵本体及び前記接続部の組み合わせが複数並設されて成り、各組み合わせ毎に、独立してスライド移動可能であるので、各組み合わせ毎に第１鍵ユニットに対して移動させることで、それぞれを最適位置に配置することができる。よって、各鍵を積層状態で鍵並び方向に独立移動可能にして、鍵毎の位置を事後的に個別に調整することができる。
【００１４】
【発明の実施の形態】
以下、本発明の実施の形態を図面を参照して説明する。
【００１５】
図１は、本発明の一実施の形態に係る鍵盤構造に適用される黒鍵ユニットの平面図である。本鍵盤構造では、後述するように、それぞれ１オクターブ分の黒鍵ユニット１０、上側白鍵ユニット２０及び下側白鍵ユニット３０を、それぞれの基端部１１、２１、３１で積層して鍵盤ユニットが構成される。そして、この鍵盤ユニットの複数オクターブ分が、後述する鍵フレーム４０に取り付けられ、鍵並び方向に複数連設される。
【００１６】
黒鍵ユニット１０は、樹脂で一体に形成され、（共通）基端部１１に、５本の黒鍵本体１３の各々が接続部１２で接続されて構成される。接続部１２は、上記特許文献１、２で示されるものと同様に、薄型で幅広に形成されており、各黒鍵本体１３は、押離鍵方向に揺動可能であるが、押離鍵ガイド部が不要な程度に鍵並び方向への揺動が抑制されている。なお、以降、黒鍵本体１３の先端方向（奏者側）を前方と称する。
【００１７】
基端部１１の後部には、鍵フレーム４０に嵌着するための一対の係止片１６が延設される。基端部１１には、鍵盤ユニットを鍵フレーム４０へ取り付けるための取り付け穴１５、及び鍵盤後方に配置されるパネル等の部材を設置するための取り付け穴１４が設けられている。
【００１８】
図２は、黒鍵ユニット１０を斜め下側からみた斜視図である。基端部１１からは、７個の突起部１７が一体に下方に突設されている。これら突起部１７は、後述する１オクターブ分の白鍵であるＣ鍵〜Ｂ鍵の各々に対応しているので、以降、個別に呼称するときは、突起部１７Ｃ、１７Ｄ・・・１７Ｂのように記す。
【００１９】
図３（ａ）は、上側白鍵ユニット２０の平面図、図３（ｂ）は下側白鍵ユニット３０の平面図である。
【００２０】
上側白鍵ユニット２０は、基端部２１に、Ｃ、Ｅ、Ｇ、Ｂ鍵用の白鍵本体２３の各々が接続部２２で接続されて構成される。下側白鍵ユニット３０は、基端部３１に、Ｄ、Ｆ、Ａ鍵用の白鍵本体３３の各々が接続部３２で接続されて構成される。接続部２２、３２の構成は接続部１２と同様であり、白鍵本体２３、３３は、押離鍵方向に揺動可能で、鍵並び方向へはほとんど揺動しない。
【００２１】
上側白鍵ユニット２０中の隣接する基端部２１同士は、弾性連結部２６で連結されている。すなわち、基端部２１、白鍵本体２３及び接続部２２の組み合わせが複数（４つ）鍵並び方向に並設されている。上側白鍵ユニット２０は、金型成形により、弾性連結部２６を含んで樹脂で一体に形成される。弾性連結部２６は薄く、しかも撓みを有する形状（平面視Ｍ字型）に形成されるので、主として鍵並び方向に弾性を有する。下側白鍵ユニット３０についても同様に構成され、隣接する基端部３１同士が弾性連結部３６で連結されている。従って、成形後において、弾性連結部２６、３６の弾性により、隣接する基端部２１間、３１間の距離をある程度（数ｍｍ）自由に伸縮することができるようになっている。
【００２２】
上側白鍵ユニット２０の基端部２１には、鍵本体２３の長手方向にやや長い穴２４、鍵並び方向にやや長い穴２５、鍵並び方向に細長い長穴２７（２７Ｃ、２７Ｅ、２７Ｇ、２７Ｂ）、円形穴２８（２８Ｄ、２８Ｆ、２８Ａ）、及び欠切部２９が設けられる。下側白鍵ユニット３０の基端部３１には、鍵本体３３の長手方向にやや長い穴３４、鍵並び方向にやや長い穴３５、鍵並び方向に細長い長穴３７（３７Ｄ、３７Ｆ、３７Ａ）、及び円形穴３８（３８Ｃ、３８Ｅ、３８Ｇ、３８Ｂ）が設けられる。
【００２３】
穴２４、３４及び欠切部２９は、黒鍵ユニット１０の基端部１１の取り付け穴１４に対応する。穴２５、３５は、基端部１１の取り付け穴１５に対応する。長穴２７Ｃ、３７Ｄ、２７Ｅ、３７Ｆ、２７Ｇ、３７Ａ、２７Ｂは、それぞれ基端部１１の突起部１７Ｃ、１７Ｄ・・・１７Ｂに対応し、対応する突起部１７が挿通される。円形穴３８Ｃ、２８Ｄ、３８Ｅ、２８Ｆ、３８Ｇ、２８Ａ、３８Ｂは、それぞれ基端部１１の突起部１７Ｃ、１７Ｄ・・・１７Ｂに対応し、対応する突起部１７が挿通される。
【００２４】
各円形穴２８、３８の直径は、突起部１７の直径より十分に大きく、基端部１１、２１、３１を積層したとき、突起部１７が円形穴２８、３８を遊貫する。一方、各長穴２７、３７の前後方向の幅は、突起部１７の直径とほぼ同じになっており、基端部１１、２１、３１を積層したとき、基端部１１、２１、３１の仮固定の役割を果たす。
【００２５】
また、円形穴２８、３８及び長穴２７、３７は、基端部１１、２１、３１を積層する際の白鍵ユニット２０、３０の位置の目安となり、突起部１７をこれら円形穴２８、３８及び長穴２７、３７に挿通することで、各基端部２１、３１の鍵並び方向におけるおおよその位置決めが容易になされる。
【００２６】
図４は、各鍵ユニットを積層して位置決めする手順を示す組み付け図である。
【００２７】
〈治具を用いた組み付け〉
まず、治具５０を用いた組み付けを説明する。治具５０は、基端部３１に嵌合的な凹部５１、凹部５１の鍵並び方向略中央に突設された基準ポール５２、及び８枚の突設リブ５３を有する。突設リブ５３の厚みは、白鍵同士の適正隙間にほぼ等しく、隣接する突設リブ５３間の間隔は、白鍵本体２３、３３の操作部における横幅にほぼ等しい。
【００２８】
かかる構成において、治具５０の上方から下側白鍵ユニット３０を降ろし、下側白鍵ユニット３０の基端部３１を凹部５１に嵌合すると共に、基準ポール５２を下側白鍵ユニット３０の穴３４に挿通させる。すると、白鍵本体３３が対応する突設リブ５３間に狭入嵌合されようとするので、白鍵本体３３の特に先端部の鍵並び方向における位置が適切になるように、弾性連結部３６が伸縮し、各基端部３１の鍵並び方向における位置が自動的に矯正される。その結果、各基端部３１は、白鍵本体３３の先端部の位置にとって最適となるような配置に収まる。このとき、各基端部３１間の距離は必ずしも等間隔にならない。
【００２９】
次に、上側白鍵ユニット２０を上方から降ろし、上側白鍵ユニット２０の基端部２１を基端部３１に嵌合すると共に、基準ポール５２を上側白鍵ユニット２０の欠切部２９に挿通させると、上記と同様に、各基端部２１の鍵並び方向における位置が自動的に矯正されて、適切な配置に収まる。
【００３０】
次に、黒鍵ユニット１０を上方から降ろし、黒鍵ユニット１０の基端部１１を基端部２１に嵌合すると共に、基準ポール５２を下側白鍵ユニット３０の穴１４に挿通させる。その際、黒鍵ユニット１０の突起部１７を、白鍵ユニット２０、３０の対応する円形穴２８、３８、長穴２７、３７に挿通させる。なお、円形穴２８、３８は突起部１７より大きく、しかも長穴２７、３７は、鍵並び方向に長いので、位置が矯正された基端部２１、３１に対して基端部１１を積層するとき、突起部１７は円形穴２８、３８、長穴２７、３７に支障なく挿通される。
【００３１】
このようにして積層状態となった鍵ユニット１０、２０、３０から成る鍵盤ユニット（以下、「積層鍵盤ユニット」と称する）を、治具５０から外して、鍵フレーム４０に取り付ける。
【００３２】
図５は、鍵フレームに取り付けられた積層鍵盤ユニットの後部を示す部分側面図である。
【００３３】
積層鍵盤ユニットにおいては、黒鍵ユニット１０の基端部１１の下面と上側白鍵ユニット２０の基端部２１の上面とが、側面視凹状のレール状嵌合部Ｆ１と該レール状嵌合部Ｆ１に対応する側面視凸状の嵌合対応部Ｍ２との関係になって、鍵並び方向に相対的に摺動可能に嵌合状態になっている。すなわち、基端部１１の下部に、レール状嵌合部Ｆ１の一部として内側当接面１１ａ、１１ｂが形成されると共に、基端部２１の上部に、嵌合対応部Ｍ２の一部として外側当接面２１ｃ、２１ｄが形成され、内側当接面１１ａ、１１ｂ、外側当接面２１ｃ、２１ｄはいずれも、鍵並び方向に平行に延びている。
【００３４】
同様に、上側白鍵ユニット２０の基端部２１の下面と下側白鍵ユニット３０の基端部３１の上面とが、レール状嵌合部Ｆ２と嵌合対応部Ｍ３との関係になって、鍵並び方向に相対的に摺動可能に嵌合状態になっている。すなわち、基端部２１の下部に内側当接面２１ａ、２１ｂが形成されると共に、基端部３１の上部に外側当接面３１ｃ、３１ｄが形成され、内側当接面２１ａ、２１ｂ、外側当接面３１ｃ、３１ｄはいずれも、鍵並び方向に平行に延びている。
【００３５】
そして、内側当接面１１ａ、１１ｂと外側当接面２１ｃ、２１ｄとが摺動可能に当接し、内側当接面２１ａ、２１ｂと外側当接面３１ｃ、３１ｄとが摺動可能に当接している。これにより、仮に基端部２１、３１を移動操作したならば、長穴２７または長穴３７内で突起部１７が移動可能な範囲内で、基端部２１、３１が基端部１１に対して相対的に鍵並び方向にスライド移動可能になっている。
【００３６】
ただし、「治具５０を用いた組み付け」では、積層鍵盤ユニットを鍵フレーム４０に取り付ける前に、白鍵ユニット２０、３０の各基端部２１、３１の鍵並び方向の位置が適正に矯正されているので、鍵フレーム４０への取り付け後には、通常、基端部２１、３１の位置調整を行う必要がない。
【００３７】
なお、レール状嵌合部Ｆ１、Ｆ２と嵌合対応部Ｍ２、Ｍ３との嵌合により、基端部１１、２１、３１間の前後方向における位置関係は一義的に定まる。
【００３８】
鍵フレーム４０にはまた、下側白鍵ユニット３０の基端部３１が鍵並び方向に摺動可能に嵌合されるためのガイドレール４１、４２が形成されている。ガイドレール４１、４２は、突条状に、本鍵盤装置の例えば全鍵盤幅（複数の積層鍵盤ユニット全数分の幅）に亘って設けられる。鍵フレーム４０の後部には、黒鍵ユニット１０の係止片１６に対応して係止孔４０ｃが形成され、さらに後端部には上方にリブ４０ａが突設される。
【００３９】
積層鍵盤ユニットを取り付けするには、まず、下側白鍵ユニット３０の基端部３１がガイドレール４１、４２間に狭入嵌合されるように積層鍵盤ユニットを鍵フレーム４０に仮置きすると共に、係止片１６を係止孔４０ｃに嵌挿させて、積層鍵盤ユニットを仮固定する。その後、不図示のネジを、取り付け穴１５を介して鍵フレーム４０の不図示のボスにネジ止めすることで、積層鍵盤ユニットが鍵フレーム４０に取り付けられる。なお、その後、不図示のパネル等は、取り付け穴１４を介してネジ止めされる。
【００４０】
「治具５０を用いた組み付け」では、上述したように、通常、積層鍵盤ユニットの鍵フレーム４０への取り付け後においては、基端部２１、３１の位置調整が不要であるので、積層鍵盤ユニットの取り付け作業はここで完了する。
【００４１】
なお、本実施の形態では、積層鍵盤ユニットの鍵フレーム４０への取り付け後に基端部２１、３１の位置が何らかの理由で狂ったために再調整を行う場合や、次に説明するように治具５０を用いない組み付けを行う場合を考慮して、各基端部２１、３１の個々の位置を事後的に微調整するための「移動調整手段」が設けられている。
【００４２】
〈治具を用いない組み付け〉
治具５０を用いない場合は、黒鍵ユニット１０を逆さまにして、黒鍵ユニット１０の基端部１１上に、上側白鍵ユニット２０、下側白鍵ユニット３０の各基端部２１、３１を順に重ね、突起部１７が円形穴２８、３８及び長穴２７、３７に挿通されるようにする。これにより、基端部１１に対する各基端部２１、３１の鍵並び方向における位置は、おおよそ定まる。しかし、積層後に隣接する白鍵本体２３と白鍵本体３３との隙間が適正値となっていない場合は、その後、例えば、積層鍵盤ユニットを鍵フレーム４０に取り付けた後に、位置調整を行う必要がある。
【００４３】
図６（ａ）は、積層鍵盤ユニットの部分背面図であり、鍵フレーム４０が併せて示されている。図６（ｂ）は、Ｂ鍵、Ｇ鍵の基端部２１Ｂ、２１Ｇの後部を示す部分斜視図である。
【００４４】
図５、図６（ａ）に示すように、リブ４０ａは、上側白鍵ユニット２０をほぼ覆う高さまで延設されている。リブ４０ａには、図６（ａ）に示すように、白鍵ユニット２０、３０における隣接する基端部２１間、基端部３１間に対応する位置に、スリット４０ｂ（４０ｂ１〜４０ｂ３のみ図示）が形成されている。また、Ｂ鍵、Ｇ鍵を例にとると、図６（ａ）、（ｂ）に示すように、Ｂ鍵の基端部２１ＢのＧ鍵寄りの後部上部には、切欠部２１Ｂｂが形成され、Ｇ鍵の基端部２１ＧのＢ鍵寄りの後部下部には、切欠部２１Ｇａが形成されている。他の白鍵についても同様で、すべては図示しないが、基端部２１、３１の弾性連結部２６、３６の近傍に上記切欠部が形成される。
【００４５】
上記「移動調整手段」は、例えば、Ｇ鍵の基端部２１Ｇに関していえば、スリット４０ｂ１、４０ｂ３のほか、基端部２１Ｇの両側面２１Ｇｃ、２１Ｇｄ、Ｂ鍵の基端部２１Ｂの切欠部２１Ｂｂ、Ｅ鍵の基端部２１Ｅの切欠部２１Ｅａ等で構成される。
【００４６】
基端部２１、３１の位置調整を行っていない積層鍵盤ユニットは、鍵フレーム４０上において次のようにして、個々の基端部２１、３１の位置調整がなされる。ここでは、Ｇ鍵の基端部２１Ｇの調整を例にとって説明する。
【００４７】
まず、積層鍵盤ユニットを、上記不図示のネジで、取り付け穴１５を介して鍵フレーム４０に、基端部２１、３１が鍵並び方向に移動可能な程度の強さで仮固定する。基端部２１Ｇの移動操作は、通常、マイナスドライバ等の先端が薄い操作具で行う。基端部２１Ｇを図６の右方に移動させたい場合は、ドライバをスリット４０ｂ３から挿入し、その先端部を側面２１Ｇｃに当てると共に、スリット４０ｂ３の同図左側の壁を「てこ」の支点として用いるか、あるいはドライバを回転させる等により、基端部２１Ｇに右方への力を与える。
【００４８】
ここで、円形穴２８は突起部１７より大きく、しかも長穴２７は鍵並び方向に長いので、基端部１１、２１、３１の積層後においても、基端部２１Ｇ基端部１１、３１に対する鍵並び方向への多少の位置変更を妨げない。よって、上記内側当接面１１ａ、１１ｂと上記外側当接面２１ｃ、２１ｄとの摺動、及び内側当接面２１ａ、２１ｂと外側当接面３１ｃ、３１ｄとの摺動により、基端部２１Ｇは、同図右方に単独でスライド移動する。移動量は任意に調整可能である。その際、切欠部２１Ｂｂがドライバに対する逃げの役割を果たし、ドライバと基端部２１Ｂとの接触を回避して、基端部２１Ｂが思わぬ動きをしてしまうことを防止することができる。
【００４９】
基端部２１Ｇを図６の左方に移動させたい場合は、ドライバをスリット４０ｂ１から挿入して、上記と方向を変えて同様の作業を行う。他の基端部２１、３１の個々の移動操作についても同様である。
【００５０】
なお、白鍵本体２３と白鍵本体３３との適正隙間は約１．５ｍｍであるが、金型による成形後の曲がり等の保障のため、上側白鍵ユニット２０の基端部２１間距離を調節して最終的に０．５ｍｍまで近接させなければならない場合がある。そこで、移動操作時の隣接する基端部２１への影響を排除するために、ドライバの先端部の厚みはなるべく薄く、且つ切欠部２１Ｇａ、２１Ｂｂ等に収まる程度に小さいものを使用するのが望ましい。
【００５１】
各基端部２１、３１について、鍵並び方向の位置調整を個別に行った上で、上記不図示のネジで、取り付け穴１５を介して鍵フレーム４０に基端部１１、２１、３１を固定することで、取り付けが完了する。
【００５２】
本実施の形態によれば、黒鍵ユニット１０の基端部１１と白鍵ユニット２０、３０の基端部２１、３１とを積層したとき、基端部１１の下面と基端部２１の上面、及び基端部２１の下面と基端部３１の上面とが、それぞれ鍵並び方向に摺動可能に構成され、且つ、個々の基端部２１、３１が弾性を有する弾性連結部２６、３６で連結されている。従って、「治具５０を用いた組み付け」では、白鍵本体２３、３３が突設リブ５３にガイドされるのに伴い、基端部２１、３１が適切な位置に自動的に移動するので、各鍵位置が適切に調整された積層鍵盤ユニットを容易に得ることができる。
【００５３】
また、「治具５０を用いない組み付け」では、積層鍵盤ユニットを、鍵フレーム４０に取り付けた後に、個々の基端部２１、３１を鍵並び方向に独立してスライド移動可能であり、しかも、下側白鍵ユニット３０の基端部３１がガイドレール４１、４２間に摺動可能に嵌合されるので、鍵ユニットの鍵フレーム取り付け後においても、各鍵位置を個別に容易に調整することができる。
【００５４】
さらに、白鍵ユニット２０、３０のうち隣接する基端部２１同士、基端部３１同士を、弾性を有する弾性連結部２６、３６で連結したので、鍵ユニットの積層時において各鍵を間違えることなく適切な並び順で配置できると共に、各鍵がばらばらにならず、扱いが容易である。しかも、個々の基端部２１、３１の事後的移動は弾性連結部２６、３６の伸縮により確保されるので、鍵毎の個別位置調整に支障がない。
【００５５】
また、鍵ユニット１０、２０、３０の積層時には、突起部１７が円形穴２８、３８、長穴２７、３７に挿通されることで、各鍵ユニットが仮固定状態となって積層鍵盤ユニットが扱いやすくなるだけでなく、各基端部２１、３１の鍵並び方向における位置が、おおよそ定まるので、その後の微調整作業が容易になる。さらに、移動調整手段を設けたことで、各基端部２１、３１の個々の位置を事後的に微調整するのが容易である。
【００５６】
また、黒鍵ユニット１０の基端部１１は複数の黒鍵本体１３及び接続部１２に対応する共通基端部として構成され、上側白鍵ユニット２０と積層嵌合された後に鍵フレーム４０に取り付けることで、鍵ユニットの組み付けが行われるように構成されたので、１かたまりの鍵盤ユニットを構成しやすく扱いも容易である。さらに、黒鍵本体１３が白鍵本体２３、３３に比し短く鍵並び方向のバラツキが少ないことから、黒鍵ユニット１０が鍵盤ユニットをまとめるベースとして機能することで、白鍵同士の隙間のバランス調整がやりやすくなる。また、黒鍵ユニット１０が、上側白鍵ユニット２０の上方から上側白鍵ユニット２０に螺着状態にされるので、片持ち構造となった鍵盤ユニットとしての剛性が維持される。すなわち、上側白鍵ユニット２０において、基端部２１、白鍵本体２３及び接続部２２の組み合わせの各単位個々の剛性は高くないが、それら基端部２１の上側に、黒鍵ユニット１０の共通基端部である基端部１１が覆うことで、例えば、黒鍵本体１３の後部を強打した場合でも、上側白鍵ユニット２０が一番下側に位置する場合に比し、接続部２２等が破損しにくい。
【００５７】
なお、移動調整手段としては、上記例示したものに限定されず、所定の操作具にて基端部２１、３１を個別に駆動して移動させる上で、力の支点となる力支点部や駆動操作の基準となる基準部を、白鍵ユニット２０、３０とは別個の部分に設けてもよい。例えば、上記鍵フレーム４０に設けたスリット４０ｂに代えて、リブ４０ａに穴を設けてもよい。
【００５８】
あるいは、スリット４０ｂに代えて、図７に示すように、黒鍵ユニット１０に操作用の窓を設けてもよい。図７（ａ）は、移動調整手段の他の例を示す積層鍵盤ユニットの部分平面図である。同図（ｂ）は、同図（ａ）のＡ部の拡大図である。例えば、黒鍵ユニット１０の基端部１１において、Ｂ鍵、Ｇ鍵の基端部２１Ｂ、２１Ｇ間に対応する位置に、操作用の窓１１ｃを形成すると共に、基端部２１Ｂ、２１Ｇに切欠部２１Ｂｃ、２１Ｇｃを逃げ部としてそれぞれ形成する。移動操作はスリット４０ｂの場合と同様である。これによれば、従来の機種からみると、鍵ユニット１０、２０、３０の設計変更だけで済むので、鍵フレームについては従来の機種のものを変更することなく活用できるという利点もある。
【００５９】
なお、下側白鍵ユニット３０の基端部３１を移動操作するための操作用の窓を設ける場合は、上側白鍵ユニット２０においても、対応位置に同程度の大きさの窓を設ける必要がある。
【００６０】
なお、このほか、切欠部については、所定の操作具の逃げ部として機能し、隣接する他の基端部に影響を与えないようなものであれば、その形状や位置は限定されない。
【００６１】
なお、本実施の形態では、長穴２７、３７は、突起部１７の直径とほぼ同じで鍵並び方向に長い形状であるとしたが、図８に示すように、長穴２７、３７に代えて、変形長穴５０を設けてもよい。すなわち、変形長穴５０は、鍵並び方向における略中央に、幅を拡大した拡大部５０ａが形成される。
【００６２】
変形長穴５０を採用した場合は、黒鍵ユニット１０に白鍵ユニット２０、３０を積層し、突起部１７が変形長穴５０に挿通されるとき、突起部１７は、拡大部５０ａ近傍に落ち着くのが通常である。金型成形後において、大きな曲がり等生じることは頻繁ではない。従って、治具５０を用いない組み付けの場合において、突起部１７が拡大部５０ａ近傍に位置することで、白鍵本体２３、３３の曲がり等の生じていない基端部２１、３１については、鍵ユニットを積層しただけの初期位置のままで適切位置になることが多く、実際に鍵位置調整を行わなくてもよくなる。よって、治具５０を用いない組み付けの場合においては、長穴２７、３７を採用した場合に比し、無駄な調整作業を少なくすることができる。
【００６３】
なお、本実施の形態において、基端部１１と２１、基端部２１と３１とは、レール状の嵌合部と嵌合対応部との関係である場合を例示したが、凹凸関係が逆であってもよいし、鍵並び方向に互いに摺動可能になる構成であれば、他の構成を採用してもよい。
【００６４】
なお、上側白鍵ユニット２０、下側白鍵ユニット３０は、１鍵単位同士を弾性連結部２６、３６で連結し、１鍵単位で鍵並び方向に移動可能に構成したが、これに限るものでなく、２鍵以上の単位同士を弾性連結部２６、３６で連結するように構成することも可能である。
【００６５】
なお、各鍵ユニット１０、２０、３０は、１オクターブ分を単位として構成したが、鍵数は問わない。また、白鍵ユニット２０、３０については、一体の鍵ユニット（弾性連結部２６、３６等で連結されていない物理的に独立した鍵ユニット）を構成する鍵数は少なくとも１鍵以上であればよく、鍵数は問わない。
【００６６】
なお、本実施の形態では、鍵ユニットを３つ積層して鍵盤ユニットが構成されるとしたが、積層される鍵ユニット数は２つ以上であれば数は問わず、互いに相対的に鍵並び方向に摺動可能に構成されていれば、位置調整が可能である。
【００６７】
【発明の効果】
以上説明したように、本発明によれば、各鍵を積層状態で鍵並び方向に独立移動可能にして、鍵毎の位置を事後的に個別に調整することができる。
【図面の簡単な説明】
【図１】本発明の一実施の形態に係る鍵盤構造に適用される黒鍵ユニットの平面図である。
【図２】黒鍵ユニットを斜め下側からみた斜視図である。
【図３】上側、下側白鍵ユニットの平面図である。
【図４】各鍵ユニットを積層して位置決めする手順を示す組み付け図である。
【図５】鍵フレームに取り付けられた積層鍵盤ユニットの後部を示す部分側面図である。
【図６】積層鍵盤ユニットの部分背面図（同図（ａ））及びＢ鍵、Ｇ鍵の基端部の後部を示す部分斜視図（同図（ｂ））である。
【図７】移動調整手段の他の例を示す積層鍵盤ユニットの部分平面図（同図（ａ））及び同図（ａ）のＡ部の拡大図（同図（ｂ））である。
【図８】白鍵ユニットの基端部に設けられる長穴の変形例を示す図である。
【符号の説明】
１０  黒鍵ユニット（第１鍵ユニット）、  ２０  上側白鍵ユニット（第２鍵ユニット）、  ３０  下側白鍵ユニット、  １１、２１、３１  基端部、  １２、２２、３２  接続部、  １３  黒鍵本体（鍵本体）、  １７  突起部、  ２３、３３  白鍵本体（鍵本体）、  ２６、３６  弾性連結部、  ２７、３７  長穴、  ４０  鍵フレーム、  ４０ｂ  スリット（移動調整手段の一部）、  Ｆ１、Ｆ２  レール状嵌合部（嵌合部）、  Ｍ２、Ｍ３  嵌合対応部（嵌合対応部）
【図１】
2004205766.tif 000003
【図２】
2004205766.tif 000004
【図３】
2004205766.tif 000005
【図４】
2004205766.tif 000006
【図５】
2004205766.tif 000007
【図６】
2004205766.tif 000008
【図７】
2004205766.tif 000009
【図８】
2004205766.tif 000010